【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
複数の着脱可能な消耗部材を備える情報処理装置の制御方法において、
それぞれの上記消耗部材に対応する状態を表示する表示部を備え、
それぞれの上記消耗部材の消費量及び又は残量を管理し、
管理されているそれぞれの上記消耗部材の消費量及び又は残量に基づいて、それぞれの上記消耗部材の交換の要否を判定し、
上記表示部の表示内容を制御することを特徴とする情報処理装置の制御方法。
【請求項２】
保守員情報格納部に保守員識別情報を記憶しておき、
操作パネルから入力された認証情報と上記保守員識別情報が一致すると認証成功と判断し、
上記消耗部材の交換が行われると該交換前に使用していた消耗部材の情報とともに上記保守員識別情報を保守履歴格納部に記憶し、
交換前に使用していた消耗品の情報とともに該消耗品の交換時に認証されていた保守員識別情報を出力する
ことを特徴とする請求項１に記載の情報処理装置の制御方法。
【請求項３】
上記保守履歴格納部が記憶する上記交換前に使用していた消耗品の情報は、交換前に使用していた消耗品の使用量に基づく値であることを特徴とする請求項２に記載の情報処理装置の制御方法。
【請求項４】
上記保守履歴格納部が記憶する上記交換前に使用していた消耗品の情報は、交換前に使用していた消耗品の残量に基づく値であることを特徴とする請求項２に記載の情報処理装置の制御方法。
【請求項５】
交換が必要と判定された上記消耗部材に対応する上記表示部の表示内容を第１の表示内容とし、交換が必要と判定されていない上記消耗部材に対応する上記表示部の表示内容を第２の表示内容とすることを特徴とする請求項１に記載の情報処理装置の制御方法。
【請求項６】
それぞれの上記消耗部材について当該情報処理装置から取りはずされたことを検知し、
上記取外し検知手段で取りはずされたと検知された上記消耗部材が、上記交換要否判定手段で、交換が必要と判定されていない上記消耗部材であった場合に、当該消耗部材に対応する上記表示部の表示を第３の表示内容とすることを特徴とする請求項５に記載の情報処理装置の制御方法。
【請求項７】
複数の着脱可能な消耗部材を備える情報処理装置において、
それぞれの上記消耗部材に対して、上記消耗部材の状態を表示する表示部が配置されており、
それぞれの上記消耗部材の消費量及び又は残量を管理する消耗部材管理手段と、
上記消耗部材管理手段で管理されているそれぞれの上記消耗部材の消費量及び又は残量に基づいて、それぞれの上記消耗部材の交換の要否を判定する交換要否判定手段と、
上記交換要否判定手段の判定結果に応じて、それぞれの上記表示部の表示内容を制御する表示制御手段と
を有することを特徴とする情報処理装置。
【請求項８】
上記表示制御手段は、上記交換要否判定手段で交換が必要と判定された上記消耗部材に対応する上記表示部の表示内容を第１の表示内容とし、上記交換要否判定手段で交換が必要と判定されていない上記消耗部材に対応する上記表示部の表示内容を第２の表示内容とすることを特徴とする請求項７に記載の情報処理装置。
【請求項９】
それぞれの上記消耗部材について当該情報処理装置から取りはずされたことを検知する取外し検知手段と、
上記取外し検知手段で取りはずされたと検知された上記消耗部材が、上記交換要否判定手段で、交換が必要と判定されていない上記消耗部材であった場合に、当該消耗部材に対応する上記表示部の表示を第３の表示内容とすることを特徴とする請求項８に記載の情報処理装置。
【請求項１０】
複数の着脱可能な消耗部材を備える情報処理装置において、
それぞれの上記消耗部材の消費量及び又は残量を管理する消耗部材管理手段と、
上記消耗部材管理手段で管理されているそれぞれの上記消耗部材の消費量及び又は残量に基づいて、それぞれの上記消耗部材の交換の要否を判定する交換要否判定手段と、
それぞれの上記消耗部材について交換されたことを検知する交換検知手段と、
上記交換検知手段により検知された交換に関する交換履歴情報を蓄積する交換履歴情報蓄積手段と、
ユーザから認証情報の入力を受付ける認証情報入力手段と、
上記認証情報入力部で受付けた認証情報を利用してユーザ認証処理を行う認証処理手段と、
上記認証処理部で認証が成功した場合、上記交換履歴情報蓄積手段に蓄積された交換履歴情報の処理を行う交換履歴情報処理手段と、
上記交換履歴情報蓄積手段に蓄積されている交換履歴情報のうち、上記交換履歴情報処理手段で未処理の交換履歴情報があった場合、当該情報処理装置の動作を制限する動作制限手段と
を有することを特徴とする情報処理装置。
【請求項１１】
上記交換履歴情報処理手段は、上記認証処理部で認証が成功した場合、上記交換履歴情報蓄積手段に蓄積された交換履歴情報のうち、未認証の交換履歴情報に対して、認証済みを示す情報を記録する処理を行い、
上記動作制限手段は、上記交換履歴情報に蓄積されている交換履歴情報のうち、認証済みを示す情報が記録されていない交換履歴情報があった場合に、当該情報処理装置の動作を制限することを特徴とする請求項１０に記載の情報処理装置。
【請求項１２】
上記交換履歴情報処理手段に蓄積された交換履歴情報を出力する交換履歴情報出力手段をさらに備えることを特徴とする請求項１０又は１１に記載の情報処理装置。
【請求項１３】
複数の着脱可能な消耗部材を備える情報処理装置に搭載されたコンピュータを、
それぞれの上記消耗部材の消費量及び又は残量を管理する消耗部材管理手段と、
上記消耗部材管理手段で管理されているそれぞれの上記消耗部材の消費量及び又は残量に基づいて、それぞれの上記消耗部材の交換の要否を判定する交換要否判定手段と、
それぞれの上記消耗部材について交換されたことを検知する交換検知手段と、
上記交換検知手段により検知された交換に関する交換履歴情報を蓄積する交換履歴情報蓄積手段と、
ユーザから認証情報の入力を受付ける認証情報入力手段と、
上記認証情報入力部で受付けた認証情報を利用してユーザ認証処理を行う認証処理手段と、
上記認証処理部で認証が成功した場合、上記交換履歴情報蓄積手段に蓄積された交換履歴情報の処理を行う交換履歴情報処理手段と、
上記交換履歴情報蓄積手段に蓄積されている交換履歴情報のうち、上記交換履歴情報処理手段で未処理の交換履歴情報があった場合、当該情報処理装置の動作を制限する動作制限手段と
して機能させることを特徴とする制御プログラム。
【手続補正２】
【補正対象書類名】明細書
【補正対象項目名】発明の名称
【補正方法】変更
【補正の内容】
【発明の名称】情報処理装置の制御方法、情報処理装置及び制御プログラム
【手続補正３】
【補正対象書類名】明細書
【補正対象項目名】０００１
【補正方法】変更
【補正の内容】
【０００１】
本発明は、情報処理装置の制御方法、情報処理装置及び制御プログラムに関し、例えば、複数の消耗部材（例えば、複数のトナー（トナーカートリッジ））を備えるプリンタ等の画像形成装置に適用し得る。
【手続補正４】
【補正対象書類名】明細書
【補正対象項目名】０００７
【補正方法】変更
【補正の内容】
【０００７】
そのため、複数の消耗部材（例えば、トナー等）を備える情報処理装置（例えば、プリンタ等の画像形成装置）において、ユーザ（例えば、エンドユーザや保守作業員等）に効率的な消耗部材の利用を促すことができる情報処理装置の制御方法、情報処理装置及び制御プログラムが望まれている。
【手続補正５】
【補正対象書類名】明細書
【補正対象項目名】０００８
【補正方法】変更
【補正の内容】
【０００８】
第１の本発明は、複数の着脱可能な消耗部材を備える情報処理装置の制御方法において、（１）それぞれの上記消耗部材に対応する状態を表示する表示部を備え、（２）それぞれの上記消耗部材の消費量及び又は残量を管理し、（３）管理されているそれぞれの上記消耗部材の消費量及び又は残量に基づいて、それぞれの上記消耗部材の交換の要否を判定し、上記表示部の表示内容を制御することを特徴とする。
第２の本発明は、複数の着脱可能な消耗部材を備える情報処理装置において、（１）それぞれの上記消耗部材に対して、上記消耗部材の状態を表示する表示部が配置されており、（２）それぞれの上記消耗部材の消費量及び又は残量を管理する消耗部材管理手段と、（３）上記消耗部材管理手段で管理されているそれぞれの上記消耗部材の消費量及び又は残量に基づいて、それぞれの上記消耗部材の交換の要否を判定する交換要否判定手段と、（４）上記交換要否判定手段の判定結果に応じて、それぞれの上記表示部の表示内容を制御する表示制御手段とを有することを特徴とする。
【手続補正６】
【補正対象書類名】明細書
【補正対象項目名】０００９
【補正方法】変更
【補正の内容】
【０００９】
第３の本発明は、複数の着脱可能な消耗部材を備える情報処理装置において、（１）それぞれの上記消耗部材の消費量及び又は残量を管理する消耗部材管理手段と、（２）上記消耗部材管理手段で管理されているそれぞれの上記消耗部材の消費量及び又は残量に基づいて、それぞれの上記消耗部材の交換の要否を判定する交換要否判定手段と、（３）それぞれの上記消耗部材について交換されたことを検知する交換検知手段と、（４）上記交換検知手段により検知された交換に関する交換履歴情報を蓄積する交換履歴情報蓄積手段と、（５）ユーザから認証情報の入力を受付ける認証情報入力手段と、（６）上記認証情報入力部で受付けた認証情報を利用してユーザ認証処理を行う認証処理手段と、（７）上記認証処理部で認証が成功した場合、上記交換履歴情報蓄積手段に蓄積された交換履歴情報の処理を行う交換履歴情報処理手段と、（８）上記交換履歴情報蓄積手段に蓄積されている交換履歴情報のうち、上記交換履歴情報処理手段で未処理の交換履歴情報があった場合、当該情報処理装置の動作を制限する動作制限手段とを有することを特徴とする。
【手続補正７】
【補正対象書類名】明細書
【補正対象項目名】００１０
【補正方法】変更
【補正の内容】
【００１０】
第４の本発明の制御プログラムは、（１）複数の着脱可能な消耗部材を備える情報処理装置に搭載されたコンピュータを、（２）それぞれの上記消耗部材の消費量及び又は残量を管理する消耗部材管理手段と、（３）上記消耗部材管理手段で管理されているそれぞれの上記消耗部材の消費量及び又は残量に基づいて、それぞれの上記消耗部材の交換の要否を判定する交換要否判定手段と、（４）それぞれの上記消耗部材について交換されたことを検知する交換検知手段と、（５）上記交換検知手段により検知された交換に関する交換履歴情報を蓄積する交換履歴情報蓄積手段と、（６）ユーザから認証情報の入力を受付ける認証情報入力手段と、（７）上記認証情報入力部で受付けた認証情報を利用してユーザ認証処理を行う認証処理手段と、（８）上記認証処理部で認証が成功した場合、上記交換履歴情報蓄積手段に蓄積された交換履歴情報の処理を行う交換履歴情報処理手段と、（９）上記交換履歴情報蓄積手段に蓄積されている交換履歴情報のうち、上記交換履歴情報処理手段で未処理の交換履歴情報があった場合、当該情報処理装置の動作を制限する動作制限手段として機能させることを特徴とする。
【手続補正８】
【補正対象書類名】明細書
【補正対象項目名】００１３
【補正方法】変更
【補正の内容】
【００１３】
（Ａ）第１の実施形態
以下、本発明による情報処理装置の制御方法、情報処理装置及び制御プログラムの第１の実施形態を、図面を参照しながら詳述する。なお、第１の実施形態の情報処理装置は、プリンタである。
【手続補正９】
【補正対象書類名】明細書
【補正対象項目名】００９１
【補正方法】変更
【補正の内容】
【００９１】
（Ｂ）第２の実施形態
以下、本発明による情報処理装置の制御方法、情報処理装置及び制御プログラムの第２の実施形態を、図面を参照しながら詳述する。なお、第２の実施形態の情報処理装置は、プリンタである。